(57)【要約】      （修正有）【課題】  可動翼片が逆ハ字形に外側方に拡開した有利状態のアピール性を向上させ、かつ、球噛みの発生を防止し得るようにした可変入賞装置を備えたパチンコ遊技機を提供する。【解決手段】  補助翼片３６ａ，３６ｂ相互と、可動翼片１５ａ，１５ｂ相互とを前後に位置をずらして斜め方向で対向させるとともに、補助翼片を可動翼片の回動に連係手段３８，３８を介して連動させて、可動翼片が傾動位置に回動したとき、補助翼片を可動翼片の回動角度以上に外側方へ回動する位置に変換する。可動翼片の拡開動作時に、計四枚の翼片が回動するので、有利状態のアピール性を向上させることができる。また、可動翼片が起立位置に戻る際に入賞した二個の遊技球が、左右の可動翼片の内側面間で水平状に並んだ状態となっても遊技球の均衡を崩すことができ、球噛みの発生を防止することができる。【選択図】  図４
2005034426.tif 000002
【特許請求の範囲】
【請求項１】
球流入孔の左右両側で、基部が第一の支軸によって回動可能に軸支された左右一対の可動翼片が、起立位置と、逆ハ字形に外側方に拡開する傾動位置とに変換制御される可変入賞装置を備えてなるパチンコ遊技機において、
前記第一の支軸の近傍位置に、第二の支軸を夫々配設し、該第二の支軸に夫々の基部を回動可能に軸支した左右一対の補助翼片相互と、前記可動翼片相互とを前後に位置をずらして斜め方向で対向させるとともに、補助翼片を可動翼片の回動に連係手段を介して連動させて、可動翼片が傾動位置に回動したとき、補助翼片を可動翼片の回動角度以上に外側方へ回動する位置に変換し、可動翼片が起立位置に回動したとき、補助翼片を可動翼片の起立位置と略一致する位置に変換するようにした可変入賞装置を備えてなることを特徴とするパチンコ遊技機。
【請求項２】
連係手段が、可動翼片に形成された、第一の支軸と同心状の円弧形ラックと、補助翼片の基部に第二の支軸と同心状に形成されて前記円弧形ラックに噛合するピニオンとからなり、該ピニオンと前記円弧形ラックとの歯車比が、可動翼片が傾動位置に回動したとき、補助翼片を可動翼片の回動角度以上に外側方へ回動する位置に変換し、かつ可動翼片が起立位置に回動したとき、補助翼片を可動翼片の起立位置と略一致する位置に変換する比率に設定された歯車機構であることを特徴とする請求項１記載のパチンコ遊技機。
【発明の詳細な説明】
【技術分野】
【０００１】
本発明は、可変入賞装置を備えたパチンコ遊技機に関する。
【背景技術】
【０００２】
パチンコ遊技機の遊技盤面に配設される可変入賞装置にあって、球流入孔の左右両側で、基部が支軸によって回動可能に軸支された左右一対の可動翼片を、上方に立ち上がる起立位置と、逆ハ字形に外側方に拡開する傾動位置とに変換制御するように構成した可変入賞装置が知られている。
【０００３】
この種の可変入賞装置は、逆ハ字形に拡開した可動翼片が起立位置に戻る際に、複数の遊技球が同時に入賞すると左右の可動翼片の内側面間に挟まれて均衡し、可動翼片が起立位置へ回動できない状態となる所謂球噛みが発生し易いという問題点がある。このような球噛み発生の防止を試みたものとして、左右の可動翼片の内側面に左右非対称の円弧状窪みを設けたもの（特許文献１参照）が提案されている。
【特許文献１】実開平７−７６８６号公報
【発明の開示】
【発明が解決しようとする課題】
【０００４】
ところで、従来の可変入賞装置にあって、可動翼片が逆ハ字形に外側方に拡開する傾動位置に変換されると、遊技球が入賞し易く、遊技者にとって有利な状態となるが、可動翼片が左右一枚ずつで構成されているため、該可動翼片の拡開動作による有利状態のアピール性に乏しく、この有利な状態を遊技者の視覚に強く訴えることができないという問題点があった。
【０００５】
本発明は、かかる従来の問題点を解消するためになされたものであり、可動翼片が逆ハ字形に外側方に拡開した有利状態を遊技者の視覚に強く訴えることができるようにするとともに、新たな構成で球噛みの発生を防止し得るようにした可変入賞装置を備えたパチンコ遊技機を提供することを目的とするものである。
【課題を解決するための手段】
【０００６】
本発明は、球流入孔の左右両側で、基部が第一の支軸によって回動可能に軸支された左右一対の可動翼片が、起立位置と、逆ハ字形に外側方に拡開する傾動位置とに変換制御される可変入賞装置を備えてなるパチンコ遊技機において、前記第一の支軸の近傍位置に、第二の支軸を夫々配設し、該第二の支軸に夫々の基部を回動可能に軸支した左右一対の補助翼片相互と、前記可動翼片相互とを前後に位置をずらして斜め方向で対向させるとともに、補助翼片を可動翼片の回動に連係手段を介して連動させて、可動翼片が傾動位置に回動したとき、補助翼片を可動翼片の回動角度以上に外側方へ回動する位置に変換し、可動翼片が起立位置に回動したとき、補助翼片を可動翼片の起立位置と略一致する位置に変換するようにした可変入賞装置を備えてなることを特徴とするパチンコ遊技機である（請求項１）。
【０００７】
前記連係手段としては、可動翼片に形成された、第一の支軸と同心状の円弧形ラックと、補助翼片の基部に第二の支軸と同心状に形成されて前記円弧形ラックに噛合するピニオンとからなり、該ピニオンと前記円弧形ラックとの歯車比が、可動翼片が傾動位置に回動したとき、補助翼片を可動翼片の回動角度以上に外側方へ回動する位置に変換し、かつ可動翼片が起立位置に回動したとき、補助翼片を可動翼片の起立位置と略一致する位置に変換する比率に設定された歯車機構が提案される（請求項２）。
【発明の効果】
【０００８】
本発明は、上述したように、左右一対の可動翼片の基部を回動可能に軸支する第一の支軸の近傍位置に、第二の支軸を夫々配設し、該第二の支軸に夫々の基部を回動可能に軸支した左右一対の補助翼片相互と、前記可動翼片相互とを前後に位置をずらして斜め方向で対向させるとともに、補助翼片を可動翼片の回動に連係手段を介して連動させて、可動翼片が傾動位置に回動したとき、補助翼片を可動翼片の回動角度以上に外側方へ回動する位置に変換し、可動翼片が起立位置に回動したとき、補助翼片を可動翼片の起立位置と略一致する位置に変換するようにした可変入賞装置を備えてなることを特徴とするパチンコ遊技機である（請求項１）から、連係手段を介して可動翼片の回動に連動する補助翼片は、可動翼片が傾動位置に回動したとき、該可動翼片の回動角度以上に外側方へ回動する位置に変換され、可動翼片が起立位置に回動したとき、該可動翼片の起立位置と略一致する位置に変換される。即ち、可動翼片の起立位置と略一致する位置にある補助翼片は、可動翼片が傾動位置に回動すると、可動翼片の回動角度以上に外側方へ回動する。これにより、可動翼片の拡開動作時に、計四枚の翼片が派手に回動するので、可動翼片が外側方に拡開した有利状態のアピール性が向上し、この有利な状態を遊技者の視覚に強く訴えることができ、パチンコ遊技の興趣を高めることができる。
【０００９】
また、可動翼片が起立位置に回動するとき、補助翼片が可動翼片より遅れて回動し、可動翼片相互が前後に位置をずらして斜め方向で対向していることにより、可動翼片が起立位置に戻る際に、複数の遊技球が同時に入賞して二個の遊技球が左右の可動翼片の内側面間で水平状に並んだ状態となっても、遊技球に対して斜め方向から力が作用するので遊技球の均衡を崩すことができ、これによって球噛みの発生を防止することができる。
【００１０】
前記連係手段を、可動翼片に形成された、第一の支軸と同心状の円弧形ラックと、補助翼片の基部に第二の支軸と同心状に形成されて前記円弧形ラックに噛合するピニオンとからなり、該ピニオンと前記円弧形ラックとの歯車比が、可動翼片が傾動位置に回動したとき、補助翼片を可動翼片の回動角度以上に外側方へ回動する位置に変換し、かつ可動翼片が起立位置に回動したとき、補助翼片を可動翼片の起立位置と略一致する位置に変換する比率に設定された歯車機構とする構成（請求項２）にあっては、該歯車機構により、補助翼片が可動翼片に連係され、該補助翼片を可動翼片の回動に確実に連動させることができる。
【発明を実施するための最良の形態】
【００１１】
以下に、本発明を第一種パチンコ遊技機に適用した一実施例を、図１〜図４に基づいて説明する。
【００１２】
パチンコ遊技機の遊技盤１には、図１に示すように、その遊技盤面２上に略円形の誘導レール３で囲繞された遊技領域４が設けられており、該遊技領域４の略中央にセンターケース５が配設されている。このセンターケース５には、液晶表示器，ＣＲＴ表示器等からなる図柄表示装置６が組み付けられており、該図柄表示装置６の表示画面７には、三つの特別図柄Ａ，Ｂ，Ｃが変動表示される。また、表示画面７の一部領域には、普通図柄表示部９が設けられており、該普通図柄表示部９には右図柄と左図柄からなる二つの普通図柄Ｅ1 ，Ｅ2 が変動表示される。この普通図柄Ｅ1 ，Ｅ2 は、「７」と「−」の二種類の図柄で構成されており、右図柄及び左図柄ともに「７」が停止する当り図柄態様が確定表示された場合には、後述する可変入賞装置１３の可動翼片１５ａ，１５ｂが開閉駆動される。
【００１３】
一方、センターケース５の左右両側には、普通図柄始動ゲート（普通図柄始動領域）１２，１２が配設されており、遊技球の通過により、この普通図柄始動ゲート１２，１２が具備する普通図柄始動スイッチ（図示省略）から遊技球検出信号が発生すると、前記普通図柄表示部９の普通図柄Ｅ1 ，Ｅ2 が変動し、所定時間経過後に停止して種々の組み合わせの図柄態様が表示されることとなる。
【００１４】
また、センターケース５の直下位置には、左右一対の可動翼片１５ａ，１５ｂにより入賞口を兼ねた入り口の開口度を変化させるようにした可変入賞装置１３が配設されている。そして前記普通図柄表示部９の表示結果が所定の当り図柄態様の場合には、ソレノイド２６（図２参照）を駆動源とする可動翼片１５ａ，１５ｂが所定時間、外側方に拡開されて、内部の球流入孔１４に遊技球が入り易い状態となる。遊技球の入賞により、この球流入孔１４が具備する特別図柄始動スイッチ（図示省略）から遊技球検出信号が発生すると、前記図柄表示装置６の表示画面７に特別図柄Ａ，Ｂ，Ｃを変動表示する図柄生成行程が実行されることとなる。この可変入賞装置１３は本発明の要部にかかるものであり、詳しくは後述する。
【００１５】
さらに、可変入賞装置１３の下方には、内部に特定領域と一般領域とを有する大入賞口２０を備え、かつ、横長矩形状の開閉片２１を図示しないソレノイド等の駆動源によって前後方向に開閉制御することにより、大入賞口２０を開放状態と閉鎖状態とに変換する変動入賞装置２２が配設されている。そして、前記図柄表示装置６の表示画面７に変動表示される特別図柄Ａ，Ｂ，Ｃが、所定の組み合わせの当り図柄態様で確定表示された場合に大当たりとしての特別遊技作動が実行され、開閉片２１が所定の開閉態様で開閉駆動される。
【００１６】
次に、本発明の要部である可変入賞装置１３について説明する。
可変入賞装置１３は、遊技盤面２に取り付けられるベース板２３を備えており、該ベース板２３の略中央には、図２に示すように、球流入孔１４が形成されている。また、ベース板２３にはその前面側に、前壁部２４ａと円弧状の下部周壁部２４ｂとを備えたカバー体２４が配設されており、該カバー体２４の前壁部２４ａと下部周壁部２４ｂとによってベース板２３の前方及び下半部分が覆われている。
【００１７】
カバー体２４の前壁部２４ａの裏面と、ベース板２３の表面には、球流入孔１４の左右両側に位置させて第一の支軸２５ａ，２５ｂ（図４参照）が配設されている。この実施例では、図２に示すように、右側の支軸２５ａがカバー体２４の前壁部２４ａの裏面から後方に向けて突成され、左側の支軸２５ｂがベース板２３の表面から前方に向けて突成されている。そして、該支軸２５ａ，２５ｂによって左右一対の可動翼片１５ａ，１５ｂの基部が回動可能に軸支されている。
【００１８】
また、両可動翼片１５ａ，１５ｂの裏面には、前記支軸２５ａ，２５ｂより内方に偏倚する位置に作動杆３２ａ，３２ｂ（図４参照）が後方に向けて突成されている。該作動杆３２ａ，３２ｂは、図２に示すように、ベース板２３の裏面側に配設されたソレノイド２６のプランジャ３３にリンク部材３４を介して連繋されており、該ソレノイド２６のＯＮ作動によりプランジャ３３が引き込まれると、支軸３４’を支点として回動するリンク部材３４を介して、図３（イ）に示すように、可動翼片１５ａ，１５ｂが逆ハ字形に外側方に拡開する傾動位置に変換され、また、ソレノイド２６がＯＦＦとなりプランジャ３３がバネ付勢により押し出されると、リンク部材３４の回動を介して、図３（ロ）に示すように、可動翼片１５ａ，１５ｂが上方に立ち上がる起立位置に変換される。
【００１９】
また、カバー体２４の前壁部２４ａの裏面と、ベース板２３の表面には、前記第一の支軸２５ａ，２５ｂに対して夫々上方外側位置となる近傍位置に第二の支軸３５ａ，３５ｂ（図４参照）が配設されている。この実施例では、図２に示すように、右側の支軸３５ａがベース板２３の表面から前方に向けて突成され、左側の支軸３５ｂがカバー体２４の前壁部２４ａの裏面から後方に向けて突成されている。そして、該支軸３５ａ，３５ｂによって、左右一対の補助翼片３６ａ，３６ｂの基部が回動可能に軸支されている。ここで、右側の補助翼片３６ａは、右側の可動翼片１５ａの裏面側に配置され、左側の補助翼片３６ｂは、左側の可動翼片１５ｂの前面側に配置されている。これによって、補助翼片３６ａ，３６ｂ相互と、前記可動翼片１５ａ，１５ｂ相互とを前後に位置をずらして斜め方向で対向させるようにしている。
【００２０】
前記補助翼片３６ａ，３６ｂは、可動翼片１５ａ，１５ｂの回動に連係手段３８，３８を介して連動し、可動翼片１５ａ，１５ｂが傾動位置に回動したとき、補助翼片３６ａ，３６ｂが可動翼片１５ａ，１５ｂの回動角度以上に外側方へ回動する位置（図４（イ）参照）に変換され、可動翼片１５ａ，１５ｂが起立位置に回動したとき、補助翼片３６ａ，３６ｂが可動翼片１５ａ，１５ｂの起立位置と略一致する位置（図４（ロ）参照）に変換されるように設けられている。
【００２１】
前記連係手段３８，３８は歯車機構によって構成されている。該歯車機構は、図２，図４に示すように、可動翼片１５ａ，１５ｂに形成された、第一の支軸２５ａ，２５ｂと同心状の円弧形ラック３９ａ，３９ｂと、補助翼片３６ａ，３６ｂの基部に第二の支軸３５ａ，３５ｂと同心状に形成されて前記円弧形ラック３９ａ，３９ｂに噛合するピニオン４０ａ，４０ｂとからなる。ここで、円弧形ラック３９ａ，３９ｂは、図４（イ），（ロ）に示すように、第一の支軸２５ａ，２５ｂより上方位置で、可動翼片１５ａ，１５ｂに形成された円弧状長孔４１ａ，４１ｂの上周縁に内歯状に設けられており、前記円弧状長孔４１ａ，４１ｂ内に配置されたピニオン４０ａ，４０ｂの上部側と噛合されている。これにより、可動翼片１５ａ，１５ｂの回動方向と同じ方向に補助翼片３６ａ，３６ｂが回動するようになっている。また、ピニオン４０ａ，４０ｂと円弧形ラック３９ａ，３９ｂとの歯車比は、可動翼片１５ａ，１５ｂが傾動位置に回動したとき、図４（イ）に示すように、補助翼片３６ａ，３６ｂを可動翼片１５ａ，１５ｂの回動角度以上に外側方へ回動する位置に変換し、かつ可動翼片１５ａ，１５ｂが起立位置に回動したとき、図４（ロ）に示すように、補助翼片３６ａ，３６ｂを可動翼片１５ａ，１５ｂの起立位置と略一致する位置に変換し得る比率に設定されている。ここで、図示した例では、ピニオン４０ａ，４０ｂと円弧形ラック３９ａ，３９ｂとの歯車比を５０：１４４としている。また、可動翼片１５ａ，１５ｂの回動角度を５０°、補助翼片３６ａ，３６ｂの回動角度を１４４°としている。
【００２２】
かかる構成にあって、歯車機構からなる連係手段３８，３８により、補助翼片３６ａ，３６ｂが可動翼片１５ａ，１５ｂに連係され、該補助翼片３６ａ，３６ｂを可動翼片１５ａ，１５ｂの回動に確実に連動させることができる。そして、可動翼片１５ａ，１５ｂの起立位置と略一致する位置にある補助翼片３６ａ，３６ｂは、可動翼片１５ａ，１５ｂが傾動位置に回動すると、可動翼片１５ａ，１５ｂの回動角度以上に外側方へ回動する。これにより、可動翼片１５ａ，１５ｂの拡開動作時に、二枚の可動翼片１５ａ，１５ｂと二枚の補助翼片３６ａ，３６ｂとからなる計四枚の翼片が派手に回動するので、可動翼片１５ａ，１５ｂが外側方に拡開した有利状態のアピール性が向上し、この有利な状態を遊技者の視覚に強く訴えることができ、パチンコ遊技の興趣を高めることができる。
【００２３】
また、可動翼片１５ａ，１５ｂが起立位置に回動するとき、補助翼片３６ａ，３６ｂが可動翼片１５ａ，１５ｂより遅れて回動し、可動翼片１５ａ，１５ｂ相互が前後に位置をずらして斜め方向で対向していることにより、可動翼片１５ａ，１５ｂが起立位置に戻る際に、複数の遊技球が同時に入賞して二個の遊技球が左右の可動翼片１５ａ，１５ｂの内側面間で水平状に並んだ状態となっても、遊技球に対して斜め方向から力が作用するので遊技球の均衡を崩すことができ、これによって球噛みの発生を防止することができる。
【００２４】
尚、上記実施例では、右側の可動翼片１５ａを補助翼片３６ａの前面側に配設し、左側の可動翼片１５ｂを補助翼片３６ｂの裏面側に配設しているが、その配置関係を逆にすることも可能である。
【図面の簡単な説明】
【００２５】
【図１】本発明にかかるパチンコ遊技機の遊技盤１を示す正面図である。
【図２】可変入賞装置１３を示す分解斜視図である。
【図３】（イ）は可動翼片１５ａ，１５ｂが傾動位置にある状態、（ロ）は可動翼片１５ａ，１５ｂが起立位置にある状態を夫々示す可変入賞装置１３の斜視図である。
【図４】連係手段３８で連係された可動翼片１５ａ，１５ｂと補助翼片３６ａ，３６ｂの構成を示し、（イ）は可動翼片１５ａ，１５ｂが傾動位置にある状態、（ロ）は可動翼片１５ａ，１５ｂが起立位置にある状態の縦断正面図である。
【符号の説明】
【００２６】
１３  可変入賞装置
１４  球流入孔
１５ａ，１５ｂ  可動翼片
２５ａ，２５ｂ  第一の支軸
３５ａ，３５ｂ  第二の支軸
３６ａ，３６ｂ  補助翼片
３８  連係手段
３９ａ，３９ｂ  円弧形ラック
４０ａ，４０ｂ  ピニオン
【図１】
2005034426.tif 000003
【図２】
2005034426.tif 000004
【図３】
2005034426.tif 000005
【図４】
2005034426.tif 000006